(57)【要約】【課題】  主錠と補助錠とを容易に施錠可能であるとともに、主錠が解錠されても施錠状態を維持することが可能な施錠システム、及び、当該施錠システムを備えた開口部装置を提供する。【解決手段】  主錠８０と補助錠９０とを備えた施錠システムであって、主錠８０が施錠されたときには補助錠９０も連動して施錠され、主錠８０が解錠されたときには補助錠９０は連動して解錠されることはない施錠システムとする。【選択図】      図１
2005330701.tif 000002
【特許請求の範囲】
【請求項１】
主錠と補助錠とを備えた施錠システムであって、前記主錠が施錠されたときには前記補助錠も連動して施錠され、前記主錠が解錠されたときには前記補助錠は連動して解錠されることはないことを特徴とする施錠システム。
【請求項２】
枠体と、該枠体内に収容されるとともに前記枠体内に摺動されることによって開閉可能とされた障子と、を具備し、
さらに、主錠と補助錠とを前記障子に備えるとともに、前記主錠が施錠されたときには前記補助錠も連動して施錠され、前記主錠が解錠されたときには前記補助錠は連動して解錠されることはない施錠システムを備えた、開口部装置。
【請求項３】
前記障子は複数の引き違い障子であって、前記補助錠が室内側の召し合せ框内に収容されていることを特徴とする請求項２に記載の開口部装置。
【発明の詳細な説明】
【技術分野】
【０００１】
本発明は、施錠システム、及び施錠システムを備えた開口部装置に関する。
【背景技術】
【０００２】
わが国は世界に冠たる治安の安定した国であるが、一方で、賊が住宅に侵入して金品を奪い去るという犯罪も後を絶たない。かかる賊が住宅内に侵入する手口で最も多いのは、テラス出入り口など、住宅開口部のガラスパネルが嵌め込まれた障子を破って、室内側に手を差し入れて、クレセント錠などを解錠するというものである。
【０００３】
これに対して、開口部の錠として主錠（メインロック）に加えて補助錠（サブロック）を設けて対応している場合がある（図７参照）が、ガラスパネルが破られた場合、賊は手を室内側に入れて主錠、および補助錠を解錠することができるので、この対応策は十分とはいいがたい。
【０００４】
一方、特許文献１には、主錠とは別にリモコンにより作動される補助錠を設けた引き違い戸の構造が開示されている。
【０００５】
また、特許文献２では、主錠の動きに連動して施錠解錠が行われるサッシの構造が開示されている。
【特許文献１】特開２００２−３６４２１８号公報
【特許文献２】特開２００４−５２３０８号公報
【発明の開示】
【発明が解決しようとする課題】
【０００６】
しかし、特許文献１に開示されている構造では、リモコンによる施錠とクレセントによる施錠とを別々に行わなければならず、操作が面倒であるという問題があった。また、特許文献２に開示されている構造では、賊がガラスを破って室内に手を入れることができる状態になると、主錠と補助錠とが連動して解錠できるので、この様な場合の対応には無力であるという問題もあった。
【０００７】
そこで、本発明は、主錠と補助錠とを容易に施錠可能であるとともに、主錠が解錠されても施錠状態を維持することが可能な施錠システム、及び、当該施錠システムを備えた開口部装置を提供することを課題とする。
【課題を解決するための手段】
【０００８】
以下、本発明について説明する。なお、本発明の理解を容易にするために添付図面の参照符号を括弧書きにて付記するが、それにより本発明が図示の形態に限定されるものではない。
【０００９】
請求項１の発明は、主錠（８０）と補助錠（９０）とを備えた施錠システムであって、主錠（８０）が施錠されたときには補助錠（９０）も連動して施錠され、主錠（８０）が解錠されたときには補助錠（９０）は連動して解錠されることはないことを特徴とする施錠システムにより前記課題を解決しようとするものである。
【００１０】
請求項２の発明は、枠体（５０）と、該枠体（５０）内に収容されるとともに枠体（５０）内に摺動されることによって開閉可能とされた障子（６０）、（７０）と、を具備し、さらに、主錠（８０）と補助錠（９０）とを障子（６０）に備えるとともに、主錠（８０）が施錠されたときには補助錠（９０）も連動して施錠され、主錠（８０）が解錠されたときには補助錠（９０）は連動して解錠されることはない施錠システムを備えた、開口部装置により前記課題を解決しようとするものである。
【００１１】
請求項３の発明は、請求項２に記載の開口部装置において、障子（６０）、（７０）は複数の引き違い障子であって、補助錠（９０）が室内側の召し合せ框（６３）内に収容されていることを特徴とする。
【発明の効果】
【００１２】
請求項１に記載の発明によれば、一回の施錠動作で主錠と補助錠とを容易に施錠することが可能になるほか、主錠が解錠されても補助錠による施錠状態を維持することが可能であるため、防犯性が向上した施錠システムを提供することが可能になる。
【００１３】
請求項２に記載の発明によれば、主錠と補助錠とを容易に施錠でき、かつ、障子が破損されることにより主錠が解錠された場合等であっても補助錠により施錠状態を維持することが可能な、開口部装置を提供することができる。
【００１４】
請求項３に記載の発明によれば、室外側から補助錠の位置を認識することが困難な開口部装置を提供することが可能になる。また、補助錠を室内側の召し合せ框内に収容することで、開口部装置の意匠性を向上させることが可能になる。
【００１５】
本発明のこのような作用及び利得は、次に説明する発明を実施するための最良の形態から明らかにされる。
【発明を実施するための最良の形態】
【００１６】
本発明の施錠システムは、施錠時には主錠と補助錠とが連動し、主錠が施錠されると自動的に補助錠が施錠されるのに対し、解錠時には主錠と補助錠とが連動せず、主錠を解錠しても補助錠は解錠されないことを特徴とする。
以下、本発明を図面に示す実施形態に基づき説明する。
【００１７】
図１は、ガラスパネルが嵌め込まれた樹脂アルミ複合サッシを使用した障子を引き違い窓として構成した開口部装置を室内側から見た図である。図示の引き違い窓１００は、建物（図示せず）の所定箇所に取り付けられる枠体５０と、当該枠体５０に取り付けられた２枚の可動障子である内障子６０と外障子７０とを備えている。枠体５０は、上枠５１、下枠５２、右縦枠５３、及び、左縦枠５４によって構成されている。また、内障子６０は、上下の桟６１、６２と、左右の縦框６３、６４と、これらに固定されたガラスパネル６５とを備えており、右縦框６４には引き手（図１には現れていない。）が取り付けられている。外障子７０との召し合せ框である左縦框（以下において、「室内側の召し合せ框」と記述することがある。）６３の中央部付近には主錠としてのクレセント（以下において、「主錠」と記述することがある。）８０が取り付けられているほか、スイッチ９５が取り付けられている。加えて、この框６３は、その内部に、図示されていない補助錠を備えており、当該補助錠の制御部とスイッチ９５とは、配線により繋がれている。この補助錠は、室内側からリモコン操作可能であり、当該補助錠の制御部におけるリモコン受光部６７が室内側から認識可能となるように、框６３の一部には穴が開けられている。一方、外障子７０は、上下の桟７１、７２と、左右の縦框７３、７４と、これらに固定されたガラスパネル７５とを備えている。左縦框７３には引き手（図１には現れていない。）が取り付けられている。右縦框（以下において、「室外側の召し合せ框」と記述することがある。）７４は室内側の召し合せ框６３と召し合っており、当該右縦框７４にはクレセント８０と係合する係合部７６が設けられている。
【００１８】
図２は、図１における室内側の召し合せ框６３を拡大して室内側から見た図であり、開口部装置に備えられた本発明の施錠システムの一実施形態を概略的に示している。室内側の召し合せ框６３には、主錠８０及びスイッチ９５が取り付けられている。主錠８０は、当該主錠８０を框６３に取り付けるための台座８５に回動可能に取り付けてあり、掛止部８１と、当該掛止部８１を回動操作するハンドル部８２とを備えるとともに、ハンドル部８２には、磁石８３が備えられている。また、スイッチ９５は、主錠８０の施錠時において、当該主錠８０内に備えられた磁石８３と対向すべき位置に、取り付けられている。室内側の召し合せ框６３には、その内部に、補助錠９０が取り付けられている。当該補助錠９０は、電源部９１、駆動部９２、及び、制御部９３を備えており、制御部９３とスイッチ９５とは、配線９６により繋がれている。
【００１９】
本発明において、主錠８０が施錠されると、当該主錠８０に備えられている磁石８３とスイッチ９５とが対向し、配線９６を介して制御部９３へと信号が送られる。制御部９３が信号を受信すると、電源部９１から駆動部９２へと電気が供給され、駆動部９２に備えられているデッドボルト（図２には現れていない。）が作動することにより、補助錠が施錠される。
【００２０】
これに対し、主錠８０が解錠される際には、上記磁石８３及びスイッチ９５の対向状態が解除されるため、配線９６を介して制御部９３へと信号が送られることはない。そのため、主錠８０を解錠しても、補助錠９０は解錠されない。そこで、本発明では、リモコン操作等により、補助錠９０を解錠する。補助錠９０の制御部９３におけるリモコン受光部６７がリモコン信号を受信すると、電源部９１から駆動部９２へと電気が供給され、駆動部９２に備えられているデッドボルトが上記施錠時とは反対方向へと作動することにより、補助錠９０が解錠される。開口部装置が、このような構成を採る本発明の施錠システムを備えることで、ガラスパネル６５及び／又は７５が破られることにより主錠８０が解錠されたとしても、補助錠９０は解錠されず開口部装置全体としての施錠状態は維持される。また、補助錠９０を室内側の召し合せ框６３内に設けることにより、補助錠９０を室外側から認識することは困難になるため、いわゆる賊が室外側から室内側へと進入することを効果的に防止し得る防犯性の高い開口部装置を提供することができる。なお、後述するように、本発明における補助錠９０は、リモコン操作とは別に、手動でも解錠可能な構成とすることが好ましい。
【００２１】
図３は、図１における室外側の召し合せ框７４を拡大して室内側から見た図であり、開口部装置１００に備えられた本発明の施錠システムの一実施形態を概略的に示している。室外側の召し合せ框７４には、上記主錠８０と係合する係合部７６と、上記補助錠９０におけるデッドボルト（図３には現れていない。）が差し込まれるべき錠受け部９７とが取り付けられており、当該錠受け部９７及び框７４には、デッドボルトが差し込まれるべき穴が開けられている。本発明の施錠システムを備える開口部装置１００では、室内側の召し合せ框６３内に設けられた補助錠９０のデッドボルトが、錠受け部９７が取り付けられている室外側の召し合せ框７４へと差し込まれ、室内外の召し合せ框６３、７４の動きを固定することで、補助錠による施錠が行われる構成としている。
【００２２】
図４は、本発明の施錠システムにおける補助錠９０の一実施形態を概略的に示す図である。図の右側及び左側は、それぞれ、室内側及び室外側を表している。本発明の施錠システムにおける補助錠９０は、室内側の召し合せ框６３内に取り付けられており、電源部９１、駆動部９２、及び、制御部９３を備えている。
【００２３】
電源部９１は、駆動部９２及び制御部９３と通じており、制御部９３からの指令を受けた時にのみ、駆動部９２へと電気を供給する。かかる構成とすることにより、電気消費量を低減させることができる。
【００２４】
駆動部９２は、電源部９１と通じており、電源部９１から電気が供給されることにより、モータ９８が作動する。モータ９８が作動すると、当該モータ９８に取り付けられた歯車と、デッドボルト９９に刻まれた溝とが噛み合い、デッドボルト９９が図の左右方向へと移動する。デッドボルト９９には、突起物９４ａ、９４ｂが取り付けられており、さらに駆動部９２には、これらの突起物９４ａ、９４ｂとそれぞれ対応する検出器９４ｃ、９４ｄを備えている。デッドボルト９９が室外側又は室内側へと移動すると、突起物９４ａ又は９４ｂが検出器９４ｃ又は９４ｄと接触することにより検出器９４ｃ又は９４ｄがボルト９９の位置を検出し、検出器９４ｃ又は９４ｄから制御部９３へと信号が送られる。当該信号を受け取った制御部９３は、その後、電源部９１へと指令を送り、電源部９１から駆動部９２への電気の供給が止められる結果、デッドボルト９９が停止する。
【００２５】
制御部９３は、電源部９１及び駆動部９２と通じており、補助錠９０の全体の動作は当該制御部９３によって制御される。制御部９３には、補助錠９０における動作制御を実行するＣＰＵ１１３と、そのＣＰＵ１１３に対する記憶装置とが設けられている。ＣＰＵ１１３は、マイクロプロセッサユニットおよびその動作に必要な各種周辺回路を組み合わせて構成され、ＣＰＵ１１３に対する記憶装置は、例えば、駆動部９２の動作制御に必要なプログラムや各種データを記憶するＲＯＭ１１４と、ＣＰＵ１１３の作業領域として機能するＲＡＭ１１５等を組み合わせて構成される。当該構成に加えて、さらに、ＣＰＵ１１３が、ＲＯＭ１１４に記憶されたソフトウエアと組み合わされることにより、制御部９３が機能する。
また、これらに加えて、制御部９３には、リモコン受光部６７が設けられている。
【００２６】
まず、施錠時における主錠８０および補助錠９０について説明する。
上述のように、施錠時には、主錠８０と補助錠９０とが連動している。従って、主錠８０が施錠されると、自動的に補助錠９０が施錠される。
主錠８０が施錠されると、スイッチ９５から制御部９３へと信号が送られる。配線９６を通じて送られるこの信号は、制御部９３の入力ポート１１１を介して、入力信号としてＣＰＵ１１３へと到達する。ＣＰＵ１１３は、この入力信号、及びＲＯＭ１１４に記憶されたプログラムに基づいて、出力ポート１１２を介して、電源部９１に対する動作指令を制御する。電源部９１は、ＣＰＵ１１３から与えられた動作指令に応じて、駆動部９２におけるモータ９８へと電気を供給する。モータ９８に電気が供給されると、当該モータ９８が取り付けられた歯車が回転し、デッドボルト９９が室外側の召し合せ框７４に設けられた穴の中へと差し込まれ、補助錠９０が施錠される。ここで、室外側へとデッドボルト９９が移動し、突起物９４ａと検出器９４ｃとが接触すると、検出器９４ｃから制御部９３へと信号が送られる。検出器９４ｃからの信号を受け取った制御部９３は、電源部９１へと動作指令を送り、電源部９１から駆動部９２への電気供給が停止する。その結果、モータ９８の回転が停止し、これに伴い、デッドボルト９９は停止する。
【００２７】
次に、解錠時における主錠８０および補助錠９０について説明する。
主錠８０の解錠時には主錠８０と補助錠９０とは連動しないため、本発明の補助錠９０は、リモコン操作か又は手動により、解錠する必要がある。
リモコン操作により解錠する場合は、リモコン装置から赤外線、超音波、及び電波等に乗せて、操作信号をリモコン受光部６７へと送信する。リモコン受光部６７によって受信された信号は、制御部９３の入力ポート１１１を介して、入力信号としてＣＰＵ１１３へと到達する。ＣＰＵ１１３は、電源部９１に対する動作指令を制御し、当該電源部９１は、ＣＰＵ１１３から与えられた動作指令に応じて、モータ９８へと電気を供給する。電気が供給されると、デッドボルト９９が室外側の召し合せ框７４に設けられた穴の外へ（室内側の召し合せ框６３の方へ）と抜き出され、補助錠９０が解錠される。ここで、室内側へとデッドボルト９９が移動し、突起物９４ｂと検出器９４ｄとが接触すると、検出器９４ｄから制御部９３へと信号が送られる。検出器９４ｄからの信号を受け取った制御部９３は、電源部９１へと動作指令を送り、電源部９１から駆動部９２への電気供給が停止する。その結果、モータ９８の回転が停止し、これに伴い、デッドボルト９９は停止する。
なお、停電時やリモコン装置の電池切れの場合のような緊急時にも補助錠の解錠を可能とするため、本発明の補助錠９０は、強制解錠機能（不図示）を備えている。この強制解錠機能は、受光部６７から副錠を差し入れることにより当該副錠に内蔵された電源をモータ９８に直結し、デッドボルト９９を室内側の召し合せ框６３の方へ抜き出すことで、電源部９１が電池切れ等の時であっても、補助錠９０を強制的に解錠する機能である。当該機能により、リモコンを使用することなく補助錠９０を強制解錠可能としている。
【００２８】
本発明の施錠システムにおける主錠８０及び補助錠９０の施錠又は解錠形態を、図５および図６に示すフローチャートを参照しつつ説明する。
図５は主錠８０の施錠時における処理を示している。本発明の施錠システムでは、主錠８０が施錠されると（ステップＳ１ａ）、スイッチ９５から補助錠９０の制御部９３へと信号が送られる（ステップＳ２ａ）。制御部９３が信号を受信すると、電源部９１へと動作指令が送られ（ステップＳ３ａ）、動作指令を受信した電源部９１は、駆動部９２へと電気を供給する。電気を供給された駆動部９２では、デッドボルト９９の移動（デッドボルト９９が室内側召し合せ框６３の内部から室外側召し合せ框７４へと突出する移動）が開始され（ステップＳ４ａ）、検出器９４ｃが作動したかどうかが判断される（ステップＳ５ａ）。ステップＳ５ａにおいて肯定判断された場合には、デッドボルト９９が所定の位置まで移動しているため、デッドボルト９９が停止し（ステップＳ６ａ）、補助錠の施錠が完了する。ステップＳ５ａにおいて否定判断された場合には、デッドボルト９９が所定の位置まで移動しておらず、補助錠の施錠が完了していないため、さらに処理はステップＳ４ａへと進められて、上記と同様の処理が実行される。
【００２９】
図６は主錠８０の解錠時における処理を示している。本発明の施錠システムでは、主錠８０の解錠時には、主錠８０と補助錠９０とが連動していない。そこで、補助錠９０を解錠するためには、主錠８０の解錠（ステップＳ１ｂ）後に、リモコン操作（ステップＳ２ｂ）を行う必要があり、補助錠９０におけるリモコン受光部６７によりリモコン信号を受信したかどうかが判断される（ステップＳ３ｂ）。ステップＳ３ｂにおいて肯定判断された場合には、電源部９１へと動作指令が送られ（ステップＳ４ｂ）、動作指令を受信した電源部９１は、駆動部９２へと電気を供給する。電気を供給された駆動部９２では、デッドボルト９９の移動（デッドボルト９９が室外側召し合せ框７４の内部から室内側召し合せ框６３の内部へと引き出される移動）が開始され（ステップＳ５ｂ）、検出器９４ｄが作動したかどうかが判断される（ステップＳ６ｂ）。ステップＳ６ｂにおいて肯定判断された場合には、デッドボルト９９が所定の位置まで移動しているため、デッドボルト９９が停止し（ステップＳ７ｂ）、補助錠の解錠が完了する。ステップＳ６ｂにおいて否定判断された場合には、デッドボルト９９が所定の位置まで移動しておらず、補助錠の解錠が完了していないため、さらに処理はステップＳ５ｂへと進められて、上記と同様の処理が実行される。一方、ステップＳ３ｂにおいて否定判断された場合には、さらに、補助錠９０の強制解錠機能が作動しているかどうかが判断される（ステップＳ８ｂ）。ステップＳ８ｂにおいて肯定判断された場合には、処理はステップＳ５ｂへと進められて、上記と同様の処理が実行される。これに対し、ステップＳ８ｂにおいて否定判断された場合には、補助錠９０は解錠されないため、補助錠の施錠状態が維持される（ステップＳ９ｂ）。
【００３０】
本発明において、補助錠９０は、施錠時には主錠と連動する一方で解錠時には主錠と連動しないという特徴とともに、室内外方向へと突出没させることにより内障子及び外障子の開閉を制止又は開放するデッドボルトが備えられているという特徴（以下において、「２つの特徴」と記述する。）を有していればよい。そのため、デッドボルトの形態は、上記説明において示した形態に限定されるものではなく、上記２つの特徴を有するものであれば、例えば機械式の補助錠であっても好適に使用することができる。また、便宜上、上記実施形態では、歯車式の突き出しデッドボルト９９について説明したが、施錠機構の形態は上記形態に限定されるものではなく、他の形態であっても好適に使用することができる。図７に、施錠機構の他の形態の具体例を概略的に示す。図７に示すように、本発明に適用可能な施錠機構の他の形態としては、図７（ａ）に示すジャッキ式の突き出しデッドボルトや、図７（ｂ）に示すカマ式の錠等を挙げることができる。
【００３１】
また、上記説明では、補助錠の駆動部に検出器及び突起物を備える形態を記載したが、本発明の施錠システムにおいて使用される補助錠は、検出器や突起物を備えない形態であっても良い。検出器や突起物を備えない場合における補助錠の形態としては、以下の形態を挙げることができる。すなわち、制御部９３から電源部９１へと動作指令を行った後の経過時間を制御部９３内のタイマ１１６により測定し、タイマ１１６による測定結果、及びＲＯＭ１１４に記憶されたプログラムに基づいて、出力ポート１１２を介して電源部９１に対して動作指令することにより、デッドボルト９９を停止させる形態である。このような形態とすれば、デッドボルトの駆動後に一定時間が経過すると自動的にデッドボルトを停止させることが可能になるため、補助錠に検出器や突起物が備えられている場合と同様に、補助錠における電力消費を低減させることが可能になる。
なお、本発明の施錠システムでは、主錠８０が施錠されている間はリモコンからの信号を受けて補助錠９０を解錠する必要が無い。そのため、補助錠９０における電力消費を低減させるという観点から、「主錠８０に伴って補助錠９０が施錠されると、一定時間後に、少なくとも補助錠９０内の回路が駆動不能な状態にまで当該回路内における電力消費を低減させる一方で、主錠８０の解錠をスイッチ９５が検知すると、補助錠９０内の回路を駆動可能な電気状態に戻す」という制御を行い得る補助錠９０としても良い。かかる形態とすることにより、例えば、電源部９１に電池が備えられている場合には、補助錠９０の施錠後における電池の消耗が抑制されるため、当該電池の寿命を大幅に延ばすことが可能になる。
【００３２】
本発明の施錠システムでは、上記形態のほか、以下に示す形態とすることができる。
補助錠９０における電源部９１の形態は、特に限定されるものではなく、例えば、開口部装置が設けられる建物の配線から電気が供給される形態や、充電式の形態等であっても好適に使用できる。充電式の電源部とする場合には、端子を有する形態のほか、無端子であり磁場を使用して充電する形態等であっても適用可能である。
また、上記説明では、便宜上、スイッチ９５と制御部９３とが配線９６により繋がれている形態について記載したが、本発明は当該形態に限定されるものではなく、スイッチ９５と制御部９３とが無線通信により信号を送受信する形態であっても好適に使用することができる。
さらに、本発明において、スイッチ９５は、室内側の召し合せ框６３の表面に取り付けられている形態に限定されるものではなく、磁石８３からの磁力が届くのであれば、框６３の内側にスイッチ９５が取り付けられている形態であっても良い。
他方、リモコンから発せられる信号が電波である場合には、リモコン受光部６７としてアンテナを利用することができる。かかる場合には、室内側の召し合せ框６３にリモコン受光部６７用の穴を開ける必要が無くなるため、框６３には、補助錠９０における強制解錠機能使用時に必要な穴を開けておけば良い。
また、さらに、補助錠９０の施錠時には、デッドボルト９９により室内外の召し合せ框６３、７４が固定されていれば良い。したがって、当該固定を行うことが可能であれば、錠受け部９７及び室外側の召し合せ框７４に穴が開けられている形態に限定されるものではなく、框７４に取り付けられている錠受け部９７が框７４の長手方向に形成された溝を有している形態であっても良い。このような形態であっても、デッドボルト９９と錠受け部９７の溝とが噛み合うことで、室内外の召し合せ框６３、７４を固定することができる。
加えて、デッドボルト９９の位置検出は、突起物９４ａ、９４ｂが取り付けられているボルト９９を用いる形態に限定されず、デッドボルト９９に形成された凹状の形状を検出することにより行う形態であっても良い。
なお、上記形態では、引き違い障子を備える開口部装置について記載したが、本発明の施錠システムは、片引き障子や上げ下げ障子等を備える開口部装置にも好適に使用することができる。
【００３３】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う施錠システム及び施錠システムを備えた開口部装置もまた本発明の技術的範囲に包含されるものとして理解されなければならない。
【図面の簡単な説明】
【００３４】
【図１】本発明の施錠システムが備えられた開口部装置を室内側から見た図である。
【図２】室内側の召し合せ框を室内側から見た図である。
【図３】室外側の召し合せ框を室内側から見た図である。
【図４】補助錠の一実施形態を概略的に示す図である。
【図５】本発明の施錠システムにおける作動形態を示すフローチャートである。
【図６】本発明の施錠システムにおける作動形態を示すフローチャートである。
【図７】補助錠の形態例を概略的に示す図である。
【図８】従来の施錠システムが備えられた開口部装置を室内側から見た図である。
【符号の説明】
【００３５】
５０  枠体
６０、７０  障子
６３  室内側の召し合せ框
７４  室外側の召し合せ框
８０  主錠
９０  補助錠
１００  引き違い窓（引き違い障子）
【図１】
2005330701.tif 000003
【図２】
2005330701.tif 000004
【図３】
2005330701.tif 000005
【図４】
2005330701.tif 000006
【図５】
2005330701.tif 000007
【図６】
2005330701.tif 000008
【図７】
2005330701.tif 000009
【図８】
2005330701.tif 000010